(57)【特許請求の範囲】
【請求項１】
台紙（３０）と、該台紙（３０）との間に顆粒状内容物（４０）を収容する中空部を形成するための合成樹脂製フィルム・カバー（１０）とを備え、該フィルム・カバー（１０）がその周囲に有するフランジ部（１２）を台紙（３０）に接着してなるブリスター容器において、
上記中空部は、顆粒状内容物（４０）の収容本体部（１４）と、該内容物（４０）を振り出すために開口可能に形成された振り出し部へ導く管部（１８）と、該管部（１８）の基端部と収容本体部（１４）とを接続する接続部（１６）とを備え、
上記収容本体部（１４）は、上記台紙（３０）からの高さが上記管部（１８）よりも高く形成され、かつ管部（１８）の延長線上から外れた位置に配置され、上記接続部（１６）は、上記管部（１８）の基端部に少なくとも同一高さで連接する保持領域（１６ｂ）と、収容本体部（１４）と保持領域（１６ｂ）とを段を介して連接する堰部（１６ａ）とを備えたことを特徴とするブリスター容器。
【請求項２】
上記管部（１８）の内径及び上記保持領域（１６ｂ）の上記台紙（３０）からの高さは、夫々、上記内容物（４０）の粒径よりも大きくかつ該粒径の２倍よりも小さいことを特徴とする請求項１記載のブリスター容器。
【請求項３】
上記台紙（３０）に、上記管部（１８）の先端が配置される凸形状部が形成され、凸形状部の先端突片（３９）が上記振り出し口を構成するための切断部として形成されたことを特徴とする請求項１記載のブリスター容器。
【請求項４】
上記台紙（３０）は、大略四角形状に形成され、かつ、相対する第１対の各辺（Ａ１，Ａ２）の大略２等分点を接続する第１折り罫（３２）と、該第１折り罫（３２）をはさんで相対する一対の第２折り罫（３３，３４）と、該第１折り罫（３２）と第２折り罫（３３，３４）の間に形成された１対の側壁（３５，３６）と、該第２折り罫（３３，３４）を介して上記各側壁（３５，３６）に連接する１対の底壁構成片（３７，３８）とを備え、
上記中空部は、上記１対の側壁の一方（３６）に設けられ、かつ、上記管部（１８）が上記収容本体部（１４）に対して上記第１折り罫（３２）側に設けられ、
上記側壁の一方（３６）に連接する底壁構成片（３８）は係止用フラップ（３８ａ）を備え、かつ、上記側壁の他方（３５）に連接する底壁構成片（３７）は上記係止用フラップ（３８ａ）に係止する吊り下げ兼用係止穴（３７ａ，３７ｂ）を備えたことを特徴とする請求項１記載のブリスター容器。
【発明の詳細な説明】
【０００１】
【発明の属する技術分野】
本発明は、ブリスター容器に関し、特に、金魚の餌等、小出しで用いられる顆粒状の内容物を収容するのに好適に用いられる振り出し機能付きブリスター容器に関する。
【０００２】
【従来の技術】
従来より、乾電池等の商品を包装パッケージするための容器として、一度限り開封可能な使い捨て式ブリスター容器が知られている。このブリスター容器は、包装しようとする商品の形状に合わせた凹部を真空成形により形成してなる透明な熱可塑性プラスチック・フィルム・カバーと、該カバーの平らなフランジ部がヒート・シール等により接着された台紙とから形成されており、上記乾電池等の商品は、上記フィルム・カバーと台紙との間の上記凹部内に収納されている。その内容物は、上記プラスチック・フィルム・カバーを台紙から引き剥がすことにより取り出される。
【０００３】
一方、たとえば、金魚の餌等、小出しで用いられる顆粒状の内容物を収容する容器として、従来より、小袋が一般に用いられている。各小袋には、１回毎に使用される餌が略定量ずつ収容されている。
【０００４】
しかしながら、各小袋は、使用の度に、わざわざ開封する煩わしさがあるだけでなく、使用回数分の小袋が餌と共に準備される必要があり、従って、材料費が嵩んで商品の低コスト化が困難である。
【０００５】
【発明が解決しようとする課題】
本発明は、小袋を用いる場合のこのような問題をブリスター容器によって解消するものであり、第１の主たる技術的課題は、一旦開封すれば、使用の度に、顆粒状の内容物を略定量ずつ小出しで振り出すことができる振り出し機能付きブリスター容器を提供することである。
【０００６】
また、本発明の第２の技術的課題は、開封作業が容易なブリスター容器を提供することである。
【０００７】
また、本発明の第３の技術的課題は、容器本体の保管場所が限定されない、つまり、吊り下げタイプとしてもスタンド・タイプとしても使用可能な、ブリスター容器を提供することである。
【０００８】
【課題を解決するための手段・作用・効果】
上記第１の主たる技術的課題を解決するために、本発明によれば、以下の振り出し機能付きブリスター容器が提供される。
【０００９】
すなわち、このブリスター容器は、台紙と、該台紙との間に顆粒状内容物を収容する中空部を形成するための合成樹脂製フィルム・カバーとを備え、該フィルム・カバーがその周囲に有するフランジ部を台紙に接着してなる。上記中空部は、顆粒状内容物の収容本体部と、該内容物を振り出すために開口可能に形成された振り出し部へ導く管部と、該管部の基端部と収容本体部とを接続する接続部とを備える。上記収容本体部は、台紙からの高さが管部よりも高く形成され、かつ、管部の延長線上から外れた位置に配置されている。上記接続部は、上記管部の基端部に少なくとも同一高さで連接する保持領域と、収容本体部と保持領域とを段を介して連接する堰部とを備える。
【００１０】
このブリスター容器は、使用に際して、先ず、上記管部の振り出し口を開口する。次いで、管部を横にした状態で堰部が収容本体部よりも低くなるようにブリスター容器を傾ける。この操作により、収容本体部内に収容されている顆粒は、段状堰部を通って保持領域側へ移動しようとする。
【００１１】
ここで、ブリスター容器を急に傾けた場合には、多数の顆粒が塊をなして段状堰部を同時に通過しようとするため、最も段状堰部側に位置していた顆粒は段状堰部を所定数通過するが、他の顆粒は、段状堰部の壁面で互いに詰まって保持領域への移動が阻止される。
【００１２】
一方、容器をゆっくりと傾けた場合には、顆粒は上記の如く塊をなさないため、多数の顆粒が上記段状堰部を通過しようとするが、上記接続部の上記保持領域が所定容積を有しているから、段状堰部を通過できる顆粒の数は、やはり、所定数に限定されることになる。
【００１３】
つまり、上記振り出し速度のいかんに拘わらず、収容本体部に収容されている顆粒は、所定数のみが上記接続部の保持領域に移動する。
【００１４】
次いで、このブリスター容器を、振り出し口を下にするように傾ける。この操作により、上記接続部の上記段状堰部を境にして、上記接続部の保持領域に保持されていた所定数の顆粒は、上記管部から振り出し口を通って外部へ小出し状態で振り出される一方、段状部に対して収容本体側に位置している顆粒は、該収容本体側へ戻される。
【００１５】
この構成により、一旦開封すれば、必要に応じて、金魚の餌等の顆粒状内容物を略定量ずつ小出し状態で外部に振り出すことができる振り出し機能が実現される。
【００１６】
また、この構成により、従来の如く、使用回数分の小袋を餌等と共に準備する必要がなくなるため、商品の製造コストを低減できる。
【００１７】
上記構成において、上記管部の内径及び上記保持領域の上記台紙からの高さは、夫々、上記内容物の粒径よりも大きくかつ該粒径の２倍よりも小さいことが好ましい。
【００１８】
この構成により、ブリスター容器を、堰部が下になるように傾けたときと振り出し口が下になるように傾けたときの夫々の場合において、顆粒が、堰部以外の、管部の内周壁や保持領域を形成する台紙又は接続部内壁で詰まることが効果的に防止される。
【００１９】
また、上記第２の技術的課題を解決するために、上記台紙には、上記管部の先端が配置される凸形状部が形成され、この凸形状部の先端突片が上記振り出し口を構成するための切断部として形成されている。例えば、ミシン目を設けておいたり、ハサミなどで切断するように構成しておけば良い。この構成によれば、先端突片を切り取ることにより、上記管部の先端部が振り出し口として外部に露出し、開封が完了する。
【００２０】
また、上記第３の技術的課題を解決するため、上記台紙を大略四角形状の台紙から構成し、該台紙には、相対する第１対の各辺の大略２等分点を接続する第１折り罫と、該第１折り罫をはさんで相対する一対の第２折り罫と、該第１折り罫と第２折り罫の間に位置する１対の側壁と、該第２折り罫を介して上記各側壁に連接する１対の底壁構成片とが備えられる。そして、上記中空部は、上記管部が上記収容本体部に対して上記第１折り罫側に設けられた状態で、上記１対の側壁の一方に設けられ、該側壁の一方に連接する底壁構成片には、係止用フラップが備えられ、かつ、上記側壁の他方に連接する底壁構成片には、上記係止用フラップに係止する吊り下げ兼用係止穴が備えられる。
【００２１】
この構成により、このブリスター容器は、たとえば壁等に設けられたピン等の突出部材に上記底壁構成片に設けられた上記吊り下げ兼用係止穴を引っかけることにより、吊り下げ式タイプとして使用することができる。
【００２２】
この吊り下げ時に、ブリスター容器が既に開封されている場合、上記管部は上記収容本体部よりも上に位置するため、収容本体部内の顆粒が上記接続部を通って管部側へ移動することが防止される。
【００２３】
さらに、この構成により、このブリスター容器は、台紙を折り曲げて組み立てることにより、スタンド・タイプとして用いることができる。
【００２４】
すなわち、上記台紙の１対の側壁は、先ず、上記第１折り罫を介して、上記フィルム・カバーが外側になるように、折り曲げられる。
【００２５】
次いで、上記各底壁構成片を、夫々、内側に折り曲げると共に、上記他方の底壁構成片に設けられた上記係止フラップを上記一方の底壁構成片に設けられた吊り下げ兼用係止穴に係止させることにより、２重底壁が構成され、組み立てが完了する。
【００２６】
このようにして組み立てられたブリスター容器が、既に開封された状態で、たとえばテーブル等の上に載置されるとき、上記管部は上記収容本体部よりも上に位置するため、収容本体部内の顆粒が上記接続部を通って管部側へ移動することが防止される。
【００２７】
上記の如く、このブリスター容器は、吊り下げタイプとしてもスタンド・タイプとしても使用することができ、その保管場所が限定されることはない。
【００２８】
【発明の実施の形態】
以下に、本発明の１実施形態を図１〜７に従って詳細に説明する。
【００２９】
図１は、合成樹脂製フィルム・カバーが台紙に接着されてなる本実施形態に係るブリスター容器の平面図、図２は、図１のII-II線断面図、図３〜５は、このブリスター容器の使用状態図、図６は、組み立て作業図であり、図７は、図６に示す組み立て作業に従って組み立てられたスタンド・タイプのブリスター容器である。
【００３０】
図において、参照符号１０は、合成樹脂製フィルム・カバー、３０は、該フィルム・カバー１０のフランジ部１２が接着されている大略四角形状の台紙であり、４０は、台紙３０とフィルム・カバー１０との間に形成されたスペース内に収容されている顆粒状の内容物であり、これは、本実施形態においては、必要に応じて、定量ずつ、小出しで振り出す必要がある金魚の餌である。なお、台紙３０に接着されている上記フィルム・カバー１０のフランジ部１２は、図中、斜線により示している。
【００３１】
先ず、このブリスター容器５０の台紙３０の構成を、図１に従って説明する。この台紙３０は、図に示すように、相対する第１対の各辺（長辺）Ａ１，Ａ２の長さが、相対する第２対の各辺（短辺）Ｂ１，Ｂ２よりも長い大略長方形状に形成されている。この第１対の各片Ａ１，Ａ２の大略２等分点を互いに接続する位置には、第１折り罫３２が形成されている。
【００３２】
また、上記各短辺Ｂ１，Ｂ２から、夫々、所定間隔を置いて第１折り罫３２に略平行に、第２，３折り罫３３，３４が形成されており、上記第１折り罫３２に対して短辺Ｂ１，Ｂ２側に第１，２側壁３５，３６が形成され、さらに第２，３折り罫３３，３４を介して第１，２底壁構成片３７，３８が形成されている。図に示すように、上記フィルム・カバー１０は、第１，２側壁３５，３６の一方、つまり、第２側壁３６側に設けられている。
【００３３】
さらに、図に示す如く、第１底壁構成片３７には、吊り下げ用穴３７ａが、第２折り罫３３と略平行に所定長さ形成された係止用穴３７ｂと一体に設けられている。一方、第２底壁構成片３８には、上記第１底壁構成片３７の上記係止用穴３７ｂに対して挿入される係止用フラップ３８ａが設けられている。この係止用フラップ３８ａは、図に示す如く、上記短辺Ｂ２から第３折り罫３４側に向かって形成された１対の切り罫３８ｂにより画定されている。
【００３４】
次に、ブリスター容器５０の上記フィルム・カバー１０の構成を、図１，２に従って説明する。
【００３５】
このフィルム・カバー１０は、上記の如く、そのフランジ部１２が台紙３０に対して接着される一方、フィルム・カバー１０の他の部分は、台紙３０との間に金魚の餌を収容するための中空部を設けるために、該台紙３０から所定の高さを有して隔てられている。
【００３６】
図に示すように、この中空部は、３つの部分、つまり、金魚の餌を収容し且つ保管するための収容本体部１４と、該収容本体部１４の一部に連絡する接続部１６と、該接続部１６にその基端部が連接する振り出し用管部１８とから形成されている。
【００３７】
この収容本体部１４は、上記第１折り罫３２と平行な相対する１対の辺が相対する他の１対の辺よりも長い大略長方形状に形成されており、一方、この管部１８は、その延長線上に上記収容本体部１４が位置しないように、該収容本体部１４に対して第１折り罫３２側に該第１折り罫３２と略平行に形成されている。そして、上記収容本体部１４と上記管部１８とは、上記第１折り罫３２と上記第１対の辺Ａ１との交点近傍で、上記接続部１６により、互いに接続されている。
【００３８】
この構成において、上記台紙３０は、図１に示す如く、振り出し用管部１８の先端の両側に切り欠き３９ａを備え、この部分が凸形状になっている。この凸形状部の先端突片３９は、第１折り罫３２の一部を１辺とし、該１辺に直角な上記第１対の辺Ａ２を他辺とする大略直角三角形の斜辺から突出するように設けられており、図中、破線３９ｂで示す如く該斜辺上の位置には、この台紙３０の裏面側に、該先端突片３９の切断位置を示すミシン目もしくは切取線が表示されている。
【００３９】
ところで、上記中空部は、図に示すように、収容本体部１４と管部１８とで、接続部１６を介して、台紙３０からの高さが異なるように形成されている。すなわち、上記接続部１６は、その管部１８側の高さが収容本体部１４側の高さよりも小さくなるような段状の堰部１６ａであって以下に述べるところの餌粒４０の移動方向に略直角に位置する段状堰部１６ａと、該段状堰部１６ａに対して管部１８側に位置し金魚の餌をなす顆粒を数粒保持可能な保持領域であって管部１８と略同一高さを有する保持領域１６ｂとを備えており、該段状堰部１６ａを境界として、管部１８の高さが、収容本体部１４の高さよりも小さくなるように構成されている。具体的には、この収容本体部１４の高さは、上記餌の粒径（直径）の２〜３倍程度に構成される一方、上記接続部の保持領域における高さと、上記管部の内径は、夫々、餌の粒径よりも大きくかつ該粒径の２倍未満に構成される。
【００４０】
さて、上記構成のブリスター容器５０は、以下のようにして使用される。
【００４１】
すなわち、図１に示す如く、上記第２側壁３６が第１側壁３５より下方に位置するように、ブリスター容器５０を手で支えながら、第２側壁３６に表示されている上記ミシン目３９ｂをハサミなどを用いて切断する。
【００４２】
このステップにおいて、上記の如く、ミシン目３９ｂに沿って台紙３０を切断することにより、台紙３０と共に上記フィルム・カバー１０が切断され、従って、自動的に、上記中空部の管部１８の先端部が外部に露出し、振り出し口が形成される。
【００４３】
次いで、接続部１６が下になるようにこのブリスター容器５０を傾けて、上記収容本体部１４内に収容されている金魚の餌粒４０を、図３に示す如く上記接続部１６側へ移動させる。
【００４４】
ここで、収容本体部１４内の餌粒４０の上記接続部１６側への移動速度が比較的大きい場合には、移動前に接続部１６近傍に収容されていた幾つかの餌粒４０のみが接続部１６の上記段状堰部１６ａを通過して上記保持領域１６ｂ側へ移動し、他の餌粒４０は、図３のIV-IV線断面図である図４に示す如く、接続部１６の段状堰部１６ａによりブロックされて保持領域１６ｂ側への移動が阻止されることになる。
【００４５】
一方、収容本体部１４内の餌粒４０の上記接続部１６側への移動速度が比較的小さい場合には、収容本体部１４内の餌粒４０が互いに重なり合わないで順次接続部１６の段状堰部１６ａを通過する可能性があるが、収容本体部１４側から接続部１６の段状堰部１６ａを通過できる餌粒４０は、保持領域１６ｂへ入ることのできる所定数に制限されることになる。
【００４６】
次いで、このブリスター容器５０を、接続部１６に対して振り出し口が下になるように傾けると、図５に示すように、上記接続部１６の保持領域１６ｂに一時的に収容されていた餌粒４０が、管部１８を矢印方向に伝って該管部１８の先端の振り出し口より外部に振り出される。
【００４７】
また、これと同時に、接続部１６の上記段状堰部１６ａに対して収容本体部１４側に位置していた餌粒５０は、図中、矢印で示す方向に移動して、収容本体部１４へ戻される。
【００４８】
このブリスター容器５０は、上記第１底壁構成片３７に設けられている上記吊り下げ用穴３７ａに、壁等に固定されている釘等を通して、吊り下げタイプとして使用することができる。上記の如く、このブリスター容器５０の上記管部１８は、収容本体部１４に対して、吊り下げ用穴３７ａ側に位置しているので、このブリスター容器５０を上記壁等に吊り下げたとき、収容本体部１４内の餌粒５０の管部１８側への移動が防止される。
【００４９】
また、一方で、このブリスター容器５０は、図１に示す如く展開状態から順次折り曲げて、図７に示す如く、テーブル等の上に置いて使用するスタンド・タイプのブリスター容器として用いることもできる。以下に、その組み立て作業について、図６を参照しながら説明する。
【００５０】
図６（Ａ）は、図１のブリスター容器５０を側面方向から示した図である。図中、各矢印３４，３２，３３は、夫々、図１に示した第３折り罫、第１折り罫、及び第２折り罫に対応する位置を示している。
【００５１】
このブリスター容器５０の台紙３０を、先ず、図（Ｂ）に示す如く、フィルム・カバー１０が外側になるように、第１折り罫３２を介して折り曲げる。
【００５２】
次いで、図（Ｃ）に示す如く、第２折り罫３３を介して第１底壁構成片３７を第１側壁３５に対して内側に折り曲げる。
【００５３】
次いで、図（Ｄ）に示す如く、第２底壁構成片３８を第３折り罫３４を介して第２側壁３６に対して内側に折り曲げ、上記係止用フラップ３８ａを第１底壁構成片３７が有する上記係止用穴３７ｂ内に挿入して第１，２底壁構成片３７，３８を互いにロックする。つまり、このステップにより、図７に示す如く、２重底壁３７，３８が形成され、組み立てが完了する。
【００５４】
上記組み立て作業によりスタンド・タイプとして構成されたブリスター容器５０は、机等の上に置いたときに、上記中空部の上記管部１８が収容本体部１４に対して組み立て構成体の頂部側に位置するため、収容本体部１４内の餌粒５０の管部１８側への移動が防止される。
【００５５】
本実施形態は、このブリスター容器が金魚の餌入れ容器として使用された例を示しているが、本発明は、この実施形態に限定されることなく、たとえば、定量ずつ小出しで振り出す必要がある調味料等の収容容器として使用が可能であることは、いうまでもない。
【図面の簡単な説明】
【図１】  本発明の１実施形態に係るブリスター容器の展開状態における平面図である。
【図２】  図１に示したブリスター容器のII-II線断面図である。
【図３】  図１のブリスター容器の使用状態を示す該ブリスター容器の一部破断図である。
【図４】  図３に示したブリスター容器のIV-IV線断面図である。
【図５】  図１のブリスター容器の使用状態を示す図３に類似の一部破断図である。
【図６】  （Ａ）〜（Ｄ）は、このブリスター容器の組み立て作業図である。
【図７】  図６の組み立て作業工程を経て組み立てられたブリスター容器の全体斜視図である。
【符号の説明】
１０  フィルム・カバー
１２  フランジ部
１４  収容本体部
１６  接続部
１６ａ  段状堰部
１６ｂ  保持領域
１８  管部
３０  台紙
３２  第１折り罫
３３  第２折り罫
３４  第３折り罫
３５  第１側壁
３６  第２側壁
３７  第１底壁構成片
３７ａ  吊り下げ用穴
３７ｂ  係止用穴
３８  第２底壁構成片
３８ａ  係止用フラップ
３８ｂ  切り罫
３９  先端突片
３９ａ  切り欠き
３９ｂ  ミシン目
４０  顆粒状内容物（餌粒）
Ａ１，Ａ２  第１対の各辺
Ｂ１，Ｂ２  第２対の各辺
【図１】
0003641300.tif 000002
【図２】
0003641300.tif 000003
【図３】
0003641300.tif 000004
【図４】
0003641300.tif 000005
【図５】
0003641300.tif 000006
【図６】
0003641300.tif 000007
【図７】
0003641300.tif 000008